(57)【要約】【課題】確実に封緘機能を発揮できるとともに開封後でも気密に閉蓋することが可能な封緘式カップ状容器を提供する。【解決手段】底壁４の外周から嵌合筒部６ｃとしたカップ状容器体３と、前記筒壁６の外面上部から弱化部ｗ付きのフランジ１０を介して封緘帯１２を略筒状に起立した封緘部材８と、前記嵌合筒部６ｃの上端面に外縁部を密着させたシール材１６と、天板２２の外周部から垂下する把持用筒部２６を、前記嵌合筒部６ｃの外面に嵌合させた蓋体２０とを具備する。前記把持用筒部２６の内側で前記天板２２の裏面からシール材１６側へ垂下するシール筒部３０を設ける。このシール筒部の外径を前記嵌合筒部６ｃの内径とほぼ同径とすることにより、前記筒壁６から封緘帯１２を、嵌合筒部６ｃの上面からシール材１６をそれぞれ除去した後に、前記嵌合筒部６ｃ内に前記シール筒部３０を密嵌することが可能に形成した。【選択図】図１
2018140793.tif 000002
【特許請求の範囲】
【請求項１】
底壁(４)の外周から筒壁(６)を起立し、この筒壁(６)の少なくとも上部を直筒状の嵌合筒部(６ｃ)としたカップ状容器体(３)と、
前記筒壁(６)の外面上部から弱化部(ｗ)付きのフランジ(１０)を介して把持用筒部(２６)を包囲する封緘帯(１２)を略筒状に起立した封緘部材(８)と、
前記嵌合筒部(６ｃ)の上端面に外縁部を密着させたシール材(１６)と、
このシール材(１６)の上面を覆う天板(２２)の外周部から垂下する把持用筒部(２６)を有し、この把持用筒部(２６)を前記嵌合筒部(６ｃ)の外面に嵌合させた蓋体(２０)と、
を具備し、
前記把持用筒部(２６)の内側において前記天板(２２)の裏面からシール材(１６)側へ垂下するシール筒部(３０)を設け、
このシール筒部(３０)の外径を前記嵌合筒部(６ｃ)の内径とほぼ同径とすることにより、前記筒壁(６)から封緘帯(１２)を除去し、かつ嵌合筒部(６ｃ)の上面からシール材(１６)を除去した後に、前記嵌合筒部(６ｃ)内に前記シール筒部(３０)を密嵌することが可能に形成したことを特徴とする、封緘式カップ状容器。
【請求項２】
前記把持用筒部(２６)を嵌合筒部(６ｃ)及び封緘帯(１２)の間へ打栓可能に設け、
この打栓作業においてシール筒部(３０)がシール材(１６)を突き破らないように、前記フランジ(１０)がストッパーとして把持用筒部(２６)の下降範囲を規制するように設けた
ことを特徴とする、請求項１に記載の封緘式カップ状容器。
【請求項３】
前記把持用筒部(２６)の周方向の少なくとも一箇所に、前記打栓時の把持用筒部(２６)の拡開を容易とするスリット(２８)が形成されており、
各スリット(２８)は把持用筒部(２６)の下端から上方へ延びていることを特徴とする、請求項２に記載の封緘式カップ状容器。
【請求項４】
前記シール材(１６)は、嵌合筒部(６ｃ)の上面に貼着された薄板状部分(１６ａ)の一端から突出した摘み部(１６ｂ)を有し、この摘み部(１６ｂ)を収納させるための空間(Ｓ)を前記シール筒部(３０)と把持用筒部(２６)との間に設けたことを特徴とする、請求項１から請求項３のいずれかに記載の封緘式カップ状容器。
【発明の詳細な説明】
【技術分野】
【０００１】
本発明は、封緘式カップ状容器、特に食材などを気密に保存することに適した封緘式カップ状容器に関する。
【背景技術】
【０００２】
この種のカップ状容器として、開放端がシール材によって封止されるカップ本体と、カップ状本体の上面側に被着される蓋体とを備え、この蓋体の外周部に弱化部を設けるとともに、弱化部と連設させて操作片を設け、この操作片を上方に引っ張ることで前記弱化部がシール材とともに破断するように構成したものが知られている（特許文献１）。
【先行技術文献】
【特許文献】
【０００３】
【特許文献１】特開２０１０−０５２８０４
【発明の概要】
【発明が解決しようとする課題】
【０００４】
特許文献１のものは、一度蓋体の破断部を破断させると、蓋としての機能が失われるために、再び閉蓋することができず、内容物を使い切る用途にしか利用できないという不便があった。
【０００５】
本発明の目的は、確実に封緘機能を発揮できるとともに開封後でも気密に閉蓋することが可能な封緘式カップ状容器を提供することである。
【課題を解決するための手段】
【０００６】
第１の手段は、
底壁４の外周から筒壁６を起立し、この筒壁６の少なくとも上部を直筒状の嵌合筒部６ｃとしたカップ状容器体３と、
前記筒壁６の外面上部から弱化部ｗ付きのフランジ１０を介して把持用筒部２６を包囲する封緘帯１２を略筒状に起立した封緘部材８と、
前記嵌合筒部６ｃの上端面に外縁部を密着させたシール材１６と、
このシール材１６の上面を覆う天板２２の外周部から垂下する把持用筒部２６を有し、この把持用筒部２６を前記嵌合筒部６ｃの外面に嵌合させた蓋体２０と、
を具備し、
前記把持用筒部２６の内側において前記天板２２の裏面からシール材１６側へ垂下するシール筒部３０を設け、
このシール筒部３０の外径を前記嵌合筒部６ｃの内径とほぼ同径とすることにより、前記筒壁６から封緘帯１２を除去し、かつ嵌合筒部６ｃの上面からシール材１６を除去した後に、前記嵌合筒部６ｃ内に前記シール筒部３０を密嵌することが可能に形成した。
【０００７】
本手段では、図１に示す如く、カップ状容器体３の筒壁６が直筒状の嵌合筒部６ｃを有し、この前記筒壁６の外面上部から弱化部ｗ付きのフランジ１０を介して略筒状に起立する封緘帯１２を備えたタイプの封緘式カップ状容器において、把持用筒部２６の内側において前記天板２２の裏面からシール材１６側へ垂下するシール筒部３０を設けている。
このシール筒部３０の外径は嵌合筒部６ｃの内径とほぼ等しく、封緘帯１２及びシール材１６を取り除いた後に、蓋体２０を嵌合筒部６ｃに嵌合させ、さらに図１での位置（図５に想像線で示す位置）よりも下降させることで、シール筒部３０を嵌合筒部６ｃ内に密嵌させることができる。
これにより、開封後でも蓋体２０をシール蓋として使い続けることができる。
【０００８】
第２の手段は、第１の手段を有し、かつ
前記把持用筒部２６を嵌合筒部６ｃ及び封緘帯１２の間へ打栓可能に設け、
この打栓作業においてシール筒部３０がシール材１６を突き破らないように、前記フランジ１０がストッパーとして把持用筒部２６の下降範囲を規制するように設けた。
【０００９】
本手段では、図６に想像線で示す如く、蓋体２０の把持用筒部２６をカップ状容器体３の嵌合筒部６ｃに打栓することが可能な構成を採用するとともに、前記フランジ１０が打栓時の把持用筒部２６の下降範囲を規制するストッパーとし、当該フランジ１０が把持用筒部２６に当接して停止させるようにしている。把持用筒部２６の下降範囲は、前記シール筒部３０がシール材１６を突き破らないように設計する。
【００１０】
第３の手段は、第２の手段を有し、かつ
前記把持用筒部２６の周方向の少なくとも一箇所に、前記打栓時の把持用筒部２６の拡開を容易とするスリット２８が形成されており、
各スリット２８は把持用筒部２６の下端から上方へ延びている。
【００１１】
本手段では、図３に示す如く、把持用筒部２６の周方向の少なくとも一箇所に、把持用筒部２６の下端から上方へ延びるスリット２８を設けることを提案する。このスリット２８は、図６に示すように把持用筒部２６を嵌合筒部６ｃの外面に打栓させたときに、把持用筒部２６が拡開することを容易とする。
【００１２】
第４の手段は、第１の手段から第３の手段のいずれかを有し、かつ
前記シール材１６は、嵌合筒部６ｃの上面に貼着された薄板状部分１６ａの一端から突出した摘み部１６ｂを有し、この摘み部１６ｂを収納させるための空間Ｓを前記シール筒部３０と把持用筒部２６との間に設けた。
【００１３】
本手段では、図２に示す如く、シール筒部３０と把持用筒部２６との間に、シール材１６の摘み部１６ｂを収納させるための空間Ｓを設けることを提案している。従って、蓋体２０をカップ状容器体３に嵌合させたときに、前記摘み部１６ｂが例えば嵌合筒部６ｃと把持用筒部２６との間に挟まってしまうことを防止できる。
【発明の効果】
【００１４】
第１の手段に係る発明によれば、カップ状容器体３の前記筒壁６の外面上部から弱化部ｗ付きのフランジ１０を介して封緘帯１２を略筒状に起立した容器において、前記蓋体２０の天板２２の裏面から嵌合筒部６ｃの内径とほぼ同径の外径を有するシール材１６側へ垂下するシール筒部３０を設けたから、開封後にも蓋体２０をカップ状容器体３のシール蓋として使い続けることができる。
第２の手段に係る発明によれば、前記把持用筒部２６を嵌合筒部６ｃ及び封緘帯１２の間へ打栓可能に設けるとともに、前記フランジ１０がストッパーとして把持用筒部２６の下降範囲を規制するように設けたから、把持用筒部２６を打栓させるときに、シール筒部３０がシール材１６を突き破ることを防止できる。
第３の手段に係る発明によれば、前記把持用筒部２６の周方向の少なくとも一箇所に、前記打栓時の把持用筒部２６の拡開を容易とするスリット２８が形成されているから、前記把持用筒部２６を嵌合筒部６ｃ及び封緘帯１２の間へ打栓させる作業が容易となる。
第４の手段に係る発明によれば、シール材１６の摘み部１６ｂを収納するための空間Ｓを前記シール筒部３０と把持用筒部２６との間に設けたから、カップ状容器体３への蓋体２０の組み付け時に例えば摘み部１６ｂが嵌合筒部６ｃ及び把持用筒部２６の間に挟まれてキズが付くなどの不都合が起こりにくい。
【図面の簡単な説明】
【００１５】
【図１】本発明の第１実施形態に係る封緘式カップ状容器の半断面図である。
【図２】図１の容器の要部拡大図である。
【図３】図１の容器から封緘帯を除去した状態の説明図である。
【図４】図３の状態から蓋体を外した状態の説明図である。
【図５】図４の状態からシール材を除去した後に、蓋体を再び嵌合した様子の説明図である。
【図６】図１の容器の組立作業の説明図であり、蓋体を容器部に打栓する様子を示す図である。
【発明を実施するための最良の形態】
【００１６】
図１から図６は、本発明の第１実施形態に係る封緘式カップ状容器を示している。このカップ状容器は、容器部２と、シール材１６と、蓋体２０とで構成される。これら各部材は、例えば合成樹脂材で形成することができる。
【００１７】
容器部２は、カップ状容器体３と、封緘部材８とを有する。
【００１８】
前記カップ状容器体３は、底壁４の外周から起立させた上端開口の筒壁６を有する。図示の筒壁６は、上端大径のテーパ状壁部６ａから外側へ延びる張出し部６ｂを介して直筒状の嵌合筒部６ｃを起立させている。嵌合筒部６ｃの外面には容器体側螺条７を設ける。もっともこの構造は適宜変更することができ、例えば筒壁６全体を直筒状の嵌合筒部６ｃとしても構わない。
【００１９】
前記封緘部材８は、本実施形態において、前記筒壁６の一部（図示例では嵌合筒部６ｃの下端）から外方突出したフランジ１０と、このフランジ１０の外周から一体的に起立された封緘帯１２とを有する。もっともこれらの形状は適宜変更することができる。
前記封緘帯１２は、周方向の第１端部１２ａ及び第２端部１２ｂを近接させて嵌合筒部６ｃの外周面を囲む略筒状に形成されている。図示例の封緘帯１２は、嵌合筒部６ｃの上端と同じ高さまで起立させている。前記第１端部１２ａは、その表面に滑り止め１４を設けたグリップ片に形成されている。
前記フランジ１０の適所（図示例ではフランジの内端部）には、環状の弱化部ｗが周設されており、弱化部ｗを破断させることにより、封緘部材８を筒壁６から容易に除去することができるように形成している。弱化部ｗは、利用者が封緘部材８を側外方へ引張ることで引きちぎることができるが、他物が垂直方向よりフランジに当たった程度では封緘部材が脱落しないような強度に設計することが望ましい。図示例では、カップ状容器体３と封緘部材８とを一体に形成しており、かつフランジ１０に形成された肉薄線を弱化部としている。もっともこれらの構造は適宜変更することができ、例えば肉薄線をミシン目に代えたり、封緘部材８を予め一体品として成形して筒壁６に適当な手段で接合し、接合箇所を弱化部としてもよい。
また前記封緘帯１２の第１端部１２ａ及び第２端部１２ｂの隙間と連続させて前記フランジ１０を幅方向に横切る切割りＣが形成されている。
本発明において、前記フランジ１０は、把持用筒部２６の降下を停止するストッパーとしての機能を有する。これについては後述する。
【００２０】
前記シール材１６は、前記嵌合筒部６ｃの上端面に外周部を密着させた薄板状部分１６ａと、この薄板状部分１６ａの一端から突出する摘み部１６ｂを有する。後述の蓋体２０を容器部２に組み付けるに先立ち、前記摘み部１６ｂを上内方へ折り曲げ、後述の空間Ｓ内に摘み部１６ｂ全体が収まるようにすることが望ましい。
【００２１】
前記蓋体２０は、前記シール材１６の上面を覆う天板２２を有し、この天板２２の外周部から足の長い把持用筒部２６を、また把持用筒部２６の内側において天板２２の下面から足の短いシール筒部３０を２重筒状に垂設させている。
これら両筒部は、シール筒部３０の下端を図１に示す如く前記シール材１６の上面に近接させた状態で、把持用筒２６が前記嵌合筒部６ｃの外面に十分な長さで重なるように形成する。
前記把持用筒２６は、封緘帯１２及び嵌合筒部６ｃの間に挿入され、かつ当該嵌合筒部６ｃの外面に嵌合されている。この嵌合状態において、把持用筒部２６の上端部とシール筒部３０との間には空間Ｓが形成されている。
図示例では、把持用筒部２６の内面に、前記嵌合筒部６ｃの容器体側螺条７とかみ合う蓋体側螺条２７を形成して、把持用筒部２６と嵌合筒部６ｃとを螺合させている。蓋体側螺条２７は、図２に示すように、封緘部材８を除去した後に把持用筒部２６を同図に示される位置よりさらに螺下降させることができるように、把持用筒部２６の上側まで余分に形成する。しかしながら、図２の状態では、把持用筒部２６の下端がストッパーであるフランジ１０に当接している。
また本実施形態では、前記把持用筒部２６を嵌合筒部６ｃ及び封緘帯１２の間に上方から打栓することにより、蓋体側螺条２７が容器体側螺条７を強制的に乗り越えて、把持用筒部２６が嵌合筒部６ｃの外面の所定の位置に螺着されるように形成している。なお、前記乗り越えを容易にするため、蓋体側螺条２７及び容器体側螺条７の一方を、一定のピッチで切り欠いた、間欠ネジに形成してもよい。前記フランジ１０は、ストッパーとして把持用筒部２６の下端と当接することにより、把持用筒部２６が所定の位置を超えて下降することを防止するができるように形成されている。これにより、シール筒部３０がシール材１６を突き破ることを回避できる。なお、打栓時にフランジ１０を支える治具を当該フランジの裏側へ当接させてもよい。
図示例では、前記天板２２を庇状に外方へ延長して、この庇部２４を前記封緘帯１２の上面へ当接又は近接させている。
なお、図示の庇部２４の外端面と封緘帯１２の外周面とは図１に示すようにほぼ面一に形成している。
前記把持用筒部２６の周方向の一箇所又は複数箇所（例えば２〜３箇所）には図３に示す把持用筒部２６の下端から上方へ延びるスリット２８を形成する。これらのスリットを設けることにより、把持用筒部２６は、嵌合筒部６ｃ及び封緘帯１２の間に打栓したときに、その下側から拡開して、蓋体側螺条２７が容器体側螺条７を乗り越えることが容易にしている。
また、図２に示すように把持用筒部２６と封緘帯１２との間には把持用筒部２６の拡開代としての隙間ｇが形成されている。
図６は、本発明の封緘式カップ状容器の組み合立て作業の説明図である。蓋体２０の把持用筒部２６を、同図に実線で示す位置から、同図に想像線で示すように、嵌合筒部６ｃ及び封緘帯１２の間に挿入すると、蓋体側螺条２７が容器体側螺条７を強制的に乗り越える。この際に前記スリット２８が広がることで、把持用筒部２６が下側から拡開し、そして嵌合筒部６ｃの外面に所定位置に螺合され、打栓される。この際に前記フランジ１０が把持用筒部２６の下端部に当たって停止させる。これにより、シール筒部３０がシール材１６を突き破る不具合を回避できる。
【００２２】
前記構成において、図１に状態から、第１端部１２ａを摘んで外側へ引っ張ると、弱化部ｗが破断し、図３に示すように封緘部材８が除去され、把持用筒部２６の外面が現れる。把持用筒部２６を掴んで開方向へ回転させ、図４に示すように嵌合筒部６ｃから把持用筒部２６を螺脱させる。
そして摘み部１６ｂを摘んで上側へ引っ張り、シール材１６を前記嵌合筒部６ｃの上端部からががす。この状態で内容物を取り出すことができる。内容物を使い切らずに閉蓋するときには、嵌合筒部６ｃに対して把持用筒部２６を嵌着させ、そして図１に示す元の位置よりも深い位置まで螺下降させることにより、シール筒部３０を嵌合筒部６ｃに内面に密着させる。これにより残りの内容物を気密に保存することができる。
【符号の説明】
【００２３】
２…容器部  ３…カップ状容器体  ４…底壁  ６…筒壁  ６ａ…テーパ状壁部
６ｂ…張出し部  ６ｃ…嵌合筒部  ７…容器体側螺条
８…封緘部材  １０…フランジ  １２…封緘帯  １２ａ…第１端部  １２ｂ…第２端部
１４…滑り止め
１６…シール材  １６ａ…薄板状部分  １６ｂ…摘み部
２０…蓋体  ２２…天板  ２４…庇部  ２６…把持用筒部  ２７…蓋体側螺条
２８…スリット  ３０…シール筒部
Ｃ…切割り  ｇ…隙間  Ｓ…空間  ｗ…弱化部
【図１】
2018140793.tif 000003
【図２】
2018140793.tif 000004
【図３】
2018140793.tif 000005
【図４】
2018140793.tif 000006
【図５】
2018140793.tif 000007
【図６】
2018140793.tif 000008